(57)【特許請求の範囲】
【請求項１】
回転可能な操作ダイヤルと、
前記操作ダイヤルの上面に備えられる表示部と、
前記操作ダイヤルの上面への接触を検出する接触検出部と、
前記操作ダイヤルの回転を検出する回転検出部と、
前記操作ダイヤルの上面への接触が検出されている場合にのみ前記操作ダイヤルの回転に応じて設定を順番に切り替える設定切替部と、
前記表示部の表示を制御する表示制御部と、
を備え、
前記表示制御部は、前記操作ダイヤルの回転中心にロック解除ボタンのイメージ画像を表示し、かつ、現在設定表示位置に現在選択されている設定を表示する、
設定装置。
【請求項２】
前記接触検出部は、前記操作ダイヤルの回転中心への接触を検出する、
請求項１に記載の設定装置。
【請求項３】
前記接触検出部は、前記ロック解除ボタンのイメージ画像の表示部分への接触を検出する、
請求項１又は２に記載の設定装置。
【請求項４】
前記接触検出部は、前記ロック解除ボタンのイメージ画像の表示領域に対応した検出領域を有する、
請求項１から３のいずれか１項に記載の設定装置。
【請求項５】
前記表示制御部は、前記現在設定表示位置に表示されている設定及び選択可能な設定を同一円周上に並べて表示させる、
請求項１から４のいずれか１項に記載の設定装置。
【請求項６】
前記表示制御部は、前記現在設定表示位置に表示されている設定を他の選択可能な設定よりも大きく表示させる、
請求項５に記載の設定装置。
【請求項７】
請求項１から６のいずれか１項に記載の設定装置を備えたカメラ。
【請求項８】
前記ロック状態の場合に前記操作ダイヤルが回転すると、前記ロック状態であることを音で告知する音声出力部を備えた
請求項７に記載のカメラ。
【請求項９】
前記ロック状態の場合に前記操作ダイヤルが回転すると、前記ロック状態であることを表示するモニターを備えた
請求項７に記載のカメラ。
【発明の詳細な説明】
【技術分野】
【０００１】
本発明は、設定装置、設定方法、設定プログラム及びカメラに係り、特に回転式の操作ダイヤルを使用した設定装置、設定方法、設定プログラム及び、回転式の操作ダイヤルを使用した設定装置を備えたカメラに関する。
【背景技術】
【０００２】
回転式の操作ダイヤルを使用した設定装置は、直感的な操作が可能であり、また、設定状況も一目で確認できるため、多くの機器で採用されている。特に、カメラでは、各種撮影条件（たとえば、シャッタースピード、感度、露出補正値、撮影モード等）を設定する手段として、回転式の操作ダイヤルを使用した設定装置が古くから利用されている。【０００３】
この種の設定装置として、特許文献１には、操作ダイヤルの上面に表示部を備えた設定装置が記載されている。特許文献１の設定装置では、操作ダイヤルの回転操作に応じて、表示部の表示が切り替えられる。また、特許文献２には、操作ダイヤルの上面に表示部及びタッチパネルを備えた設定装置が記載されている。特許文献２の設定装置では、タッチパネルへのタッチ操作によって、表示部に表示される項目が切り替えられる。【０００４】
また、この種の設定装置には、意図せずに設定が変更してしまうのを防止するための機構が備えられる場合がある。たとえば、特許文献３及び４には、操作ダイヤルをメカニカルにロックする機構を備えた設定装置が記載されている。また、特許文献５には、操作ダイヤルが回転操作された場合であっても、設定が変更しないように、設定の変更を禁止する手段を備えた設定装置が記載されている。
【先行技術文献】
【特許文献】
【０００５】
【特許文献１】特開2008-165118号公報
【特許文献２】特開2014-202837号公報
【特許文献３】特開平7-134320号公報
【特許文献４】特開2015-125307号公報
【特許文献５】特開2002-277919号公報
【発明の概要】
【発明が解決しようとする課題】
【０００６】
しかしながら、特許文献３及び４のように、操作ダイヤルをメカニカルにロックする機構を備えると、操作ダイヤルの構造が複雑になるという欠点がある。特に、上面に表示部を備えた操作ダイヤルでは、電子化によって機構を単純化して壊れにくくしたり、コストを下げたりすることが目的なので、メカニカルにロックする機構を追加すると、その効果が損なわれるという欠点がある。【０００７】
また、特許文献５のように、設定の変更を禁止する手段を操作ダイヤルとは別に設けて、操作ダイヤルによる設定の変更を禁止する構成とすると、操作性が低下するという欠点がある。【０００８】
本発明は、このような事情に鑑みてなされたもので、簡素な構成で誤操作を防止できる設定装置、設定方法、設定プログラム及びカメラを提供することを目的とする。
【課題を解決するための手段】
【０００９】
上記課題を解決するための手段は、次のとおりである。【００１０】
（１）回転可能な操作ダイヤルと、操作ダイヤルの上面に備えられる表示部と、操作ダイヤルの上面への接触を検出する接触検出部と、操作ダイヤルの回転を検出する回転検出部と、操作ダイヤルの上面への接触が検出されている場合にのみ操作ダイヤルの回転に応じて設定を順番に切り替える設定切替部と、表示部の表示を制御する表示制御部と、を備えた設定装置。【００１１】
本態様によれば、操作ダイヤルの上面への接触を検出する接触検出部が備えられ、接触検出部で接触が検出されている場合だけ設定の切り替えが有効になる。すなわち、接触検出部で接触が検出されている場合だけ設定を切り替えられる。したがって、接触検出部で接触が検出されていない場合は、操作ダイヤルを回転操作しても、設定は切り替えられない。これにより、誤動作を防止できる。また、接触を検出して、ロックを電子的に解除するので、構造も簡素化できる。特に上面の表示部分の電子化と相俟って、全体として簡素で壊れにくい構造にできる。【００１２】
（２）接触検出部は、操作ダイヤルの回転中心への接触を検出する、上記（１）の設定装置。【００１３】
本態様によれば、接触検出部が操作ダイヤルの回転中心への接触を検出する。これにより、意図せずに設定が変わってしまうのを有効に防止できる。すなわち、操作ダイヤルの回転中心部分に触れながら操作した場合にのみ操作が有効になるので、誤動作を有効に防止できる。また、接触を検出する領域が、操作ダイヤルの回転中心部分なので、良好な操作性も確保できる。すなわち、他の位置は手さぐりで探すことはできないが、回転中心の位置は、手さぐりでも探し出せる。このため、暗い環境で操作する場合、ファインダーを覗きながら操作する場合等において、特に良好な操作性を確保できる。【００１４】
（３）表示制御部は、操作ダイヤルの回転中心にロック解除ボタンのイメージ画像を表示し、かつ、現在設定表示位置に現在選択されている設定を表示する、上記（１）又は（２）の設定装置。【００１５】
本態様によれば、操作ダイヤルの上面に備えられた表示部に現在選択されている設定、及び、ロック解除ボタンのイメージ画像が表示される。現在設定表示位置に現在選択されている設定が表示されることにより、簡単に所望の設定にできる。また、操作ダイヤルの回転中心にロック解除ボタンのイメージ画像が表示されることにより、直感的な操作が可能になり、初めて使うユーザーであっても戸惑うことなく使用できる。【００１６】
（４）接触検出部は、ロック解除ボタンのイメージ画像の表示部分への接触を検出する、上記（３）の設定装置。【００１７】
本態様によれば、ロック解除ボタンのイメージ画像の表示部分への接触が検出されて、操作ダイヤルの上面への接触が検出される。これにより、ロック解除ボタンのイメージ画像に触れながら操作した場合にのみ設定の切り替えを有効にでき、誤動作を防止できる。【００１８】
（５）接触検出部は、ロック解除ボタンのイメージ画像の表示領域に対応した検出領域を有する、上記（３）又は（４）の設定装置。【００１９】
本態様によれば、ロック解除ボタンのイメージ画像の表示領域に対応した領域が接触検出部の検出領域とされる。これにより、検出領域をロック解除ボタンのイメージ画像の表示領域に限定できるので、誤動作を防止できる。なお、「ロック解除ボタンのイメージ画像の表示領域に対応した検出領域を有する」とは、ロック解除ボタンのイメージ画像が表示されている領域を接触の検出領域とすることを意味する。すなわち、ロック解除ボタンのイメージ画像が表示されている部分が、接触の検出領域となる。【００２０】
（６）表示制御部は、現在設定表示位置に表示されている設定及び選択可能な設定を同一円周上に並べて表示させる、上記（３）から（５）のいずれか１の設定装置。【００２１】
本態様によれば、現在設定表示位置を表示されている設定及び選択可能な設定が同一円周上に並べて表示される。これにより、選択可能な設定を容易に把握でき、より操作性が向上する。【００２２】
（７）表示制御部は、現在設定表示位置に表示されている設定を他の選択可能な設定よりも大きく表示する、上記（６）の設定装置。【００２３】
本態様によれば、現在設定表示位置に表示されている設定が、他よりも大きく表示される。これにより、現在選択されている設定を容易に視認でき、より操作性が向上する。【００２４】
（８）上記（１）から（７）のいずれか１の設定装置を備えたカメラ。【００２５】
本態様によれば、上記（１）から（７）のいずれか１の設定装置がカメラに備えられる。これにより、回転式の操作ダイヤルを使用して撮影条件等を設定できる。【００２６】
（９）ロック状態の場合に操作ダイヤルが回転すると、ロック状態であることを音で告知する音声出力部を備えた上記（８）のカメラ。【００２７】
本態様によれば、音により、ロック状態に設定されていることをユーザーに告知することができ、より操作性が向上する。【００２８】
（１０）ロック状態の場合に操作ダイヤルが回転すると、ロック状態であることを表示するモニターを備えた上記（８）のカメラ。【００２９】
本態様によれば、表示により、ロック状態に設定されていることをユーザーに告知することができ、より操作性が向上する。【００３０】
（１１）エンドレスに回転可能な操作ダイヤルの上面への接触を検出し、操作ダイヤルの上面への接触を検出している場合に、操作ダイヤルによる設定の切り替えを有効にし、操作ダイヤルによる設定の切り替えが有効な場合に、操作ダイヤルの回転操作に応じて設定を順番に切り替える、設定方法。【００３１】
本態様によれば、操作ダイヤルの上面に触れながら操作ダイヤルを回転操作した場合にだけ設定が切り替えられる。【００３２】
（１２）エンドレスに回転可能な操作ダイヤルの上面に備えられた接触検出部からの出力に基づいて、操作ダイヤルの上面への接触の有無を判定する機能と、操作ダイヤルの上面への接触が有ると判定している場合に、操作ダイヤルによる設定の切り替えを有効にする機能と、操作ダイヤルによる設定の切り替えが有効な場合に、操作ダイヤルの回転操作に応じて設定を順番に切り替える機能と、をコンピュータに実現させる設定プログラム。【００３３】
本態様によれば、操作ダイヤルの上面に触れながら操作ダイヤルを回転操作した場合にだけ設定が切り替えられる。
【発明の効果】
【００３４】
本発明によれば、簡素な構成で誤操作を防止できる。
【図面の簡単な説明】
【００３５】
【図１】デジタルカメラの外観構成を示す正面図
【図２】デジタルカメラの外観構成を示す背面図
【図３】デジタルカメラの外観構成を示す平面図
【図４】レンズを装着したデジタルカメラの平面図
【図５】デジタルカメラの制御系の概略構成を示すブロック図
【図６】シャッタースピードダイヤルを含むシャッタースピード設定装置の概略構成を示すブロック図
【図７】シャッタースピードダイヤルの概略構成を示す縦断面図
【図８】本実施の形態のデジタルカメラで設定可能なシャッタースピード、及び、シャッタースピードの表示部への表記の一覧表
【図９】シャッタースピードダイヤルの表示部に表示される文字盤画像の一例を示す平面図
【図１０】ロックされた場合及びロックが解除された場合の文字盤画像の表示の遷移図
【図１１】シャッタースピードダイヤルの回転操作に応じた文字盤画像の表示の遷移図
【図１２】シャッタースピード設定装置によるシャッタースピードの設定処理の手順を示すフローチャート
【図１３】ロック／ロック解除の処理手順を示すフローチャート
【図１４】本発明を感度の設定装置に適用した場合の文字盤画像の表示例を示す平面図
【図１５】ロックされた場合及びロックが解除された場合の文字盤画像の表示の遷移図
【図１６】本発明を露出補正値の設定装置に適用した場合の文字盤画像の表示例を示す平面図
【図１７】ロックされた場合及びロックが解除された場合の文字盤画像の表示の遷移図
【図１８】本発明を撮影モードの設定装置に適用した場合の文字盤画像の表示例を示す平面図
【図１９】ロックされた場合及びロックが解除された場合の文字盤画像の表示の遷移図
【図２０】接触検出部による接触の検出領域を限定する場合の概念図
【図２１】モニターを利用した告知例を示すデジタルカメラの背面図
【図２２】選択可能な設定の一部のみを表示部に表示する場合の表示部の表示例を示す平面図
【図２３】選択可能な設定の一部のみを表示部に表示する場合の表示部の他の表示例を示す平面図
【図２４】選択可能な設定の一部のみを表示部に表示する場合の表示部の他の表示例を示す平面図
【図２５】矩形状の表示部を有するシャッタースピードダイヤルの平面図
【発明を実施するための形態】
【００３６】
以下、添付図面にしたがって本発明を実施するための好ましい形態について詳説する。
【００３７】
《外観構成》
図１、図２、図３は、それぞれデジタルカメラの外観構成を示す正面図、背面図、平面図である。
【００３８】
本明細書では、光軸Ｌに沿う方向（図３のｚ方向）を前後方向とし、被写体側を前方向とする。また、光軸Ｌと直交する面において、イメージセンサー５０の長辺に沿う方向（図１のｘ方向）を横方向又は左右方向とし、イメージセンサー５０の短辺に沿う方向（図１のｙ方向）を縦方向又は上下方向とする。
【００３９】
本実施の形態のデジタルカメラ１は、レンズ交換式のデジタルカメラであり、かつ、ノンレフレックス型のデジタルカメラである。レンズ交換式とは、レンズを交換できるデジタルカメラのことである。ノンレフレックス型とは、レンズからの入射光を光学式ファインダーに導くためのレフレックスミラーのないデジタルカメラのことであり、ミラーレスとも称される。
【００４０】
図４は、レンズを装着したデジタルカメラの平面図である。同図に示すように、本実施の形態のデジタルカメラ１は、カメラボディ１０にレンズ２を装着して使用する。カメラボディ１０には、レンズ２を装着するためのレンズマウント１４、画像を表示するためのモニター１６、デジタルカメラ１を操作するための各種操作部材等が備えられる。
【００４１】
〈カメラボディ〉
カメラボディ１０は、前後方向の厚みの薄い矩形の箱形状を有する。カメラボディ１０は、一方側（図１において左側）の端部がグリップ部として構成される。ユーザーは、グリップ部を把持してレリーズ操作を行う。グリップ部には、正面側にグリップ２２が備えられ、背面側にサムレスト２４が備えられる。
【００４２】
〈レンズマウント〉
レンズマウント１４は、レンズ２の取り付け部である。図１に示すように、レンズマウント１４は、カメラボディ１０の正面に備えられる。レンズ２は、レンズマウント１４に着脱可能に装着される。
【００４３】
〈モニター〉
図２に示すように、モニター１６は、カメラボディ１０の背面に備えられる。モニター１６は、たとえば、カラーＬＣＤ（ＬＣＤ：Liquid Crystal Display／液晶ディスプレー）で構成される。モニター１６は、画像の表示に利用される他、ＧＵＩ（ＧＵＩ：Graphical User Interface／グラフィカルユーザーインタフェース）としても利用される。モニター１６に表示する画像にはライブビュー画像が含まれる。ライブビューとは、イメージセンサーで捉えた画像をモニター１６にリアルタイムに表示することである。ライブビュー画像とは、ライブビューされた画像のことである。デジタルカメラ１を撮影モードに設定すると、モニター１６にライブビュー画像が表示される。撮影時、ユーザーは、モニター１６の表示を見て画角、フォーカス状態等を確認する。
【００４４】
〈操作部材〉
カメラボディ１０には、デジタルカメラ１を操作するための操作部材として、シャッターボタン３０、電源レバー３１、再生ボタン３２、撮影設定ボタン３３、メニュー／ＯＫボタン３４、セレクターボタン３５、表示／ＢＡＣＫボタン３６、削除ボタン３７、シャッタースピードダイヤル１１０等が備えられる。
【００４５】
シャッターボタン３０は、グリップ部側のカメラボディ１０の上面に備えられる。シャッターボタン３０は、いわゆる半押しと全押しとからなる二段式のスイッチで構成される。シャッターボタン３０が半押しされると、測光、測距等の撮影準備が行われ、全押しされると、本撮影が行われる。
【００４６】
電源レバー３１は、シャッターボタン３０と同軸上に配置される。電源レバー３１は、回転式のレバーで構成される。電源レバー３１をオン位置に回転させると、デジタルカメラ１の電源がオンされ、オフ位置に回転させると、デジタルカメラ１の電源がオフされる。
【００４７】
再生ボタン３２は、デジタルカメラ１のモードを再生モードに切り替えるボタンである。再生ボタン３２は、カメラボディ１０の背面に備えられる。デジタルカメラ１のモードが撮影モードに設定されている状態で再生ボタン３２を押すと、デジタルカメラ１のモードが再生モードに切り替えられる。再生モードに設定されると、最後に撮影した画像がモニター１６に表示される。
【００４８】
なお、再生モードから撮影モードに切り替える機能は、シャッターボタン３０に割り当てられている。再生モードに設定されている状態でシャッターボタン３０を押すと、デジタルカメラ１のモードが撮影モードに切り替えられる。
【００４９】
撮影設定ボタン３３は、撮影条件の設定画面をモニター１６に表示させるボタンである。撮影設定ボタン３３は、カメラボディ１０の背面に備えられる。撮影設定ボタン３３を押すと、撮影モード、フォーカスモード、感度、画像サイズ、画質モード、セルフタイマー等の各種撮影条件を設定するための画面がモニター１６に表示される。ユーザーは、モニター１６の表示に従い、セレクターボタン３５等を利用して所望の設定を行う。
【００５０】
メニュー／ＯＫボタン３４は、メニュー画面をモニター１６に呼び出すボタンである。また、メニュー／ＯＫボタン３４は、モニター１６に表示される選択事項、確認事項等についてＯＫを指示するボタンである。メニュー／ＯＫボタン３４は、カメラボディ１０の背面に備えられる。撮影モード又は再生モードに設定されている状態でメニュー／ＯＫボタン３４を押すと、モニター１６にメニュー画面が表示される。
【００５１】
セレクターボタン３５は、メニュー／ＯＫボタン３４を中心にして同一円上に配置された上下左右の４つのボタンで構成される。各ボタンには、デジタルカメラ１の設定状況に応じた機能が割り当てられる。たとえば、デジタルカメラ１が再生モードに設定されている場合、図２において右方向のボタンには１コマ送りの機能が割り当てられ、左方向のボタンには１コマ戻しの機能が割り当てられる。また、上方向のボタンにはズームインの機能が割り当てられ、下方向のボタンにはズームアウトの機能が割り当てられる。また、デジタルカメラ１が撮影モードに設定されている場合、図２において右方向のボタンには、ホワイトバランスの設定画面を呼び出す機能が割り当てられ、左方向のボタンには、セルフタイマーの設定画面を呼び出す機能が割り当てられる。また、上方向のボタンには、ＡＦモード（ＡＦ：Auto Focus）の設定画面を呼び出す機能が割り当てられ、下方向のボタンには、連写モードの設定画面を呼び出す機能が割り当てられる。更に、モニター１６に各種設定画面を呼び出した場合には、画面上でカーソルを各方向に移動させるボタンとして機能する。
【００５２】
表示／ＢＡＣＫボタン３６は、モニター１６の表示形態の切り替えを指示するボタンである。また、表示／ＢＡＣＫボタン３６は、モニター１６の表示を１つ前の状態に戻すことを指示するボタンである。表示／ＢＡＣＫボタン３６は、カメラボディ１０の背面に備えられる。再生モード又は撮影モードに設定されている状態において、表示／ＢＡＣＫボタン３６が押されると、モニター１６の表示形態が切り替えられる。たとえば、再生モードに設定されている状態で表示／ＢＡＣＫボタン３６が押されると、モニター１６に表示されている画像の撮影条件、ヒストグラム等が画像に重ねて表示される。また、たとえば、撮影モードに設定されている状態で表示／ＢＡＣＫボタン３６が押されると、撮影条件、ヒストグラム等の各種情報がライブビュー画像に重ねて表示される。また、各種設定画面がモニター１６に表示されている状態で表示／ＢＡＣＫボタン３６が押されると、モニター１６の表示が１つ前の状態に戻される。これにより、選択事項、確認事項等をキャンセルできる。
【００５３】
削除ボタン３７は、モニター１６に表示されている撮影済み画像の削除を指示するボタンである。削除ボタン３７は、カメラボディ１０の背面に備えられる。撮影済み画像をモニター１６に表示している状態で削除ボタン３７を押すと、削除を確認する画面がモニター１６に表示される。モニター１６の表示に従って削除の実行を指示すると、再生中の撮影済み画像がメモリーカードから削除される。
【００５４】
シャッタースピードダイヤル１１０は、操作ダイヤルの一例であり、シャッタースピードの設定に使用される。シャッタースピードダイヤル１１０は、カメラボディ１０の上面に備えられる。本実施の形態のデジタルカメラ１では、グリップ部と反対側の端部に備えられている。ユーザーは、シャッタースピードダイヤル１１０を回転操作して、撮影時のシャッタースピードを設定する。シャッタースピードダイヤル１１０を含むシャッタースピードの設定装置の構成については、後に詳述する。
【００５５】
《制御系》
図５は、デジタルカメラの制御系の概略構成を示すブロック図である。
【００５６】
デジタルカメラ１は、イメージセンサー５０、イメージセンサー駆動部５２、シャッター５４、シャッター駆動部５６、アナログ信号処理部５８、画像データ入力部６０、ワークメモリ６２、データメモリ６４、デジタル信号処理部６６、記録制御部６８、モニター駆動部７０、操作部７４、システムコントローラー８０等を有する。
【００５７】
イメージセンサー５０は、レンズ２を介して結像した被写体の光学像を電気信号に変換して出力する。イメージセンサー５０には、ＣＣＤイメージセンサー（ＣＣＤ：Charged Coupled Device）、ＣＭＯＳイメージセンサー（ＣＭＯＳ：Complementary Metal Oxide Semiconductor）等の公知のイメージセンサーが使用される。
【００５８】
イメージセンサー駆動部５２は、システムコントローラー８０からの指令に応じて、イメージセンサー５０を駆動する。
【００５９】
シャッター５４は、スクエア型のフォーカルプレーンシャッターで構成され、イメージセンサー５０の直前に配置される。なお、図１は、シャッターが全開された状態が示されている。
【００６０】
シャッター駆動部５６は、システムコントローラー８０からの指令に応じて、シャッター５４を駆動する。
【００６１】
アナログ信号処理部５８は、イメージセンサー５０から出力された信号を取り込み、相関二重サンプリング処理、増幅処理等の所要の信号処理を施す。また、アナログ信号処理部５８は、所要の信号処理を施したアナログの画像信号をデジタルの画像信号に変換して出力する。
【００６２】
画像データ入力部６０は、システムコントローラー８０からの指令に応じて、アナログ信号処理部５８から出力されるデジタルの画像信号を取り込む。取り込まれた１枚分の画像データは、ワークメモリ６２に格納される。
【００６３】
ワークメモリ６２は、作業用のメモリとして利用される。データメモリ６４は、ＥＥＰＲＯＭ （ＥＥＰＲＯＭ：Electrically Erasable Programmable Read Only Memory）等の不揮発性メモリで構成され、制御等に必要なデータが記憶される。
【００６４】
デジタル信号処理部６６は、ワークメモリ６２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【００６５】
記録制御部６８は、システムコントローラー８０からの指令に応じて、メモリーカード７８にアクセスし、データを読み書きする。撮影により得られた画像データは、メモリーカード７８に記録される。
【００６６】
モニター駆動部７０は、システムコントローラー８０からの指令に応じて、モニター１６を駆動する。
【００６７】
操作部７４は、シャッターボタン３０、電源レバー３１、再生ボタン３２、撮影設定ボタン３３、メニュー／ＯＫボタン３４、セレクターボタン３５、表示／ＢＡＣＫボタン３６、削除ボタン３７、シャッタースピードダイヤル１１０等を含み、各操作部材の操作に応じた信号をシステムコントローラー８０に出力する。
【００６８】
システムコントローラー８０は、デジタルカメラ１の各部の動作を制御する制御部である。システムコントローラー８０は、マイクロコンピューターで構成される。すなわち、マイクロコンピューターが所定の制御プログラムを実行することによりシステムコントローラー８０として機能し、デジタルカメラ１の各部の動作を制御する制御部として機能する。
【００６９】
システムコントローラー８０は、レンズ２の制御部としても機能する。システムコントローラー８０は、レンズ２に備えられたレンズ駆動部２ａを介して、レンズ２の動作を制御する。レンズ２は、絞り、フォーカスレンズ等を備える。レンズ駆動部２ａは、絞りを駆動する絞り駆動部、フォーカスレンズを駆動するフォーカスレンズ駆動部等を備える。
【００７０】
《シャッタースピード設定装置》
上記のように、本実施の形態のデジタルカメラ１は、シャッタースピードダイヤル１１０で撮影時のシャッタースピードを設定する。
【００７１】
図６は、シャッタースピードダイヤルを含むシャッタースピード設定装置の概略構成を示すブロック図である。
【００７２】
シャッタースピード設定装置１００は、シャッタースピードを設定する。シャッタースピード設定装置１００は、設定装置の一例である。シャッタースピード設定装置１００は、上面（天面）に表示部１１０Ａを備えたシャッタースピードダイヤル１１０と、指標１１２と、シャッタースピードダイヤル１１０の回転を検出する回転検出部１１４と、シャッタースピードダイヤル１１０の操作に応じてシャッタースピードを切り替える設定切替部１１６と、シャッタースピードダイヤル１１０の操作に応じて表示部１１０Ａの表示を制御する表示制御部１１８と、を備えて構成される。
【００７３】
〈シャッタースピードダイヤル〉
図７は、シャッタースピードダイヤルの概略構成を示す縦断面図である。
【００７４】
シャッタースピードダイヤル１１０は、操作ダイヤルの一例である。シャッタースピードダイヤル１１０は、文字盤を構成する円盤状のディスプレー１３０と、エンドレスに回転可能な操作リング１３２と、操作リング１３２の回転操作にクリック感を発生させるクリック機構１３４と、を備える。
【００７５】
〔ディスプレー〕
ディスプレー１３０は、シャッタースピードダイヤル１１０の文字盤を構成する。ディスプレー１３０は、上面に表示面を有し、その表示面がシャッタースピードダイヤル１１０の上面を構成する。すなわち、ディスプレー１３０の表示面がシャッタースピードダイヤル１１０の表示部１１０Ａを構成する。ディスプレー１３０は、たとえば、ＬＣＤで構成される。
【００７６】
ディスプレー１３０は、シャッタースピードダイヤル１１０を支持するシャッタースピードダイヤル支持フレーム１２６に固定して取り付けられる。
【００７７】
シャッタースピードダイヤル支持フレーム１２６は、支持フレーム本体１２６Ａと、ディスプレー支持フレーム１２６Ｂと、を有する。支持フレーム本体１２６Ａは、カメラボディ１０に固定して取り付けられる。
【００７８】
ディスプレー支持フレーム１２６Ｂは、ベース部１２６Ｂ２と、支柱部１２６Ｂ１と、を有する。ベース部１２６Ｂ２は、板形状を有し、支持フレーム本体１２６Ａに固定して取り付けられる。支柱部１２６Ｂ１は、柱形状を有し、ベース部１２６Ｂ２に固定して取り付けられる。ディスプレー１３０は、支柱部１２６Ｂ１の頂部に固定して取り付けられる。
【００７９】
ディスプレー１３０の表示面（上面）には、接触を検出するタッチセンサー１３６が備えられる。タッチセンサー１３６は、接触検出部の一例であり、ディスプレー１３０の表示面への指の接触を検出する。なお、上記のように、ディスプレー１３０の表示面は、シャッタースピードダイヤル１１０の上面を構成するので、タッチセンサー１３６はシャッタースピードダイヤル１１０の上面への接触を検出することになる。タッチセンサー１３６の検出領域は、ディスプレー１３０の表示面の全面である。
【００８０】
〔操作リング〕
操作リング１３２は、シャッタースピードダイヤル１１０の回転操作部を構成する。操作リング１３２は、ディスプレー１３０の外周をエンドレスに正逆回転可能に設けられる。操作リング１３２は、その下部同軸上に円筒状の軸部１３２Ａを有する。操作リング１３２は、支持フレーム本体１２６Ａに備えられた軸受１４０に軸部１３２Ａを支持されて、エンドレスに正逆回転可能に支持される。なお、本明細書では、図７において、符号Ｒ＋の矢印で示す回転方向（反時計回りの回転方向）をプラス方向、符号Ｒ−の矢印で示す回転方向（時計回りの回転方向）をマイナス方向とする。プラスの回転方向Ｒ＋とマイナスの回転方向Ｒ−は、相互に逆の回転方向となる。
【００８１】
〔クリック機構〕
クリック機構１３４は、操作リング１３２の回転操作にクリック感を発生させる。クリック機構１３４は、クリック溝板金１３４Ａと、クリックボール１３４Ｂと、クリックバネ１３４Ｃと、を備えて構成される。
【００８２】
クリック溝板金１３４Ａは、中央に円形の穴を備えた円盤形状を有する。クリック溝板金１３４Ａは、その中央の穴に操作リング１３２の軸部１３２Ａが通されて、操作リング１３２の軸部１３２Ａに固定される。クリック溝板金１３４Ａは、操作リング１３２と同軸上に配置され、操作リング１３２と共に回転する。
【００８３】
クリック溝板金１３４Ａには、同一円周上に一定の間隔で複数のクリック溝１３４ａが備えられる。クリック溝１３４ａは、球面状の窪みとして、クリック溝板金１３４Ａの上面に備えられる。このクリック溝１３４ａの配置間隔が、クリック感を発生させる間隔となる。
【００８４】
クリックボール１３４Ｂは、クリック溝１３４ａに嵌入して、クリック感を発生させる部材である。クリックボール１３４Ｂは、シャッタースピードダイヤル支持フレーム１２６の支持フレーム本体１２６Ａに備えられる。支持フレーム本体１２６Ａには、クリックボール１３４Ｂを収容するクリックボール収容穴１２６Ａ１が備えられる。クリックボール収容穴１２６Ａ１は、有底の穴として、操作リング１３２の回転軸と平行に設けられる。また、クリックボール収容穴１２６Ａ１は、クリック溝１３４ａと対向する位置に備えられる。
【００８５】
クリックバネ１３４Ｃは、クリックボール１３４Ｂをクリック溝板金１３４Ａに向けて付勢する部材である。クリックバネ１３４Ｃは、クリックボール収容穴１２６Ａ１に収容される。
【００８６】
以上のように構成されるクリック機構１３４の作用は次のとおりである。操作リング１３２を回転させると、クリック溝板金１３４Ａが回転する。クリック溝板金１３４Ａが回転すると、一定の角度間隔でクリックボール１３４Ｂがクリック溝１３４ａに嵌入する。これにより、一定の角度間隔でクリック感が発生する。また、クリック感が発生したところで回転を止めると、クリックボール１３４Ｂがクリック溝１３４ａに嵌入する。これにより、回転が止められる。すなわち、一定以上の負荷を掛けて回さない限り、停止状態が維持される。クリックボール１３４Ｂがクリック溝１３４ａに嵌入して回転が止められることをクリックストップと称する。
【００８７】
クリックストップする位置をクリックポジションとすると、クリックポジションの数はクリック溝１３４ａの数と同数になる。また、その間隔もクリック溝１３４ａの間隔と同じになる。たとえば、１回転当たりのクリックポジションの数が１０個の場合、クリック溝１３４ａの配置間隔は３６°となる。この場合、操作リング１３２を回転操作すると、３６°の間隔でクリック感が発生する。また、３６°の間隔でクリックストップさせることができる。
【００８８】
〈回転検出部〉
回転検出部１１４は、シャッタースピードダイヤル１１０の回転方向及び回転量を検出する。回転検出部１１４は、ロータリーエンコーダーで構成され、操作リング１３２の軸部１３２Ａの回転を検出して、シャッタースピードダイヤル１１０の回転方向及び回転量を検出する。これにより、シャッタースピードダイヤル１１０の回転の操作方向及び操作量を検出できる。たとえば、１回転当たりのクリックポジションの数が１０の場合、プラス方向Ｒ＋に３６°回転したことを検出することにより、シャッタースピードダイヤル１１０がプラス方向Ｒ＋に１クリック分回転操作されたことを検出できる。回転検出部１１４の検出結果は、システムコントローラー８０に出力される。
【００８９】
〈指標〉
指標１１２は、カメラボディ１０に備えられる。指標１１２は、バー形状を有し、シャッタースピードダイヤル１１０の外周の一点を指し示すように配置される。本実施の形態のデジタルカメラ１では、図３に示すように、シャッタースピードダイヤル１１０に対して９時の位置に指標１１２が配置される。
【００９０】
ユーザーは、指標１１２を基準にシャッタースピードダイヤル１１０を回転操作する。すなわち、設定しようとするシャッタースピードの表示が指標１１２の位置に位置するように、シャッタースピードダイヤル１１０を回転操作する。
【００９１】
〈設定切替部〉
設定切替部１１６は、タッチセンサー１３６からの出力、及び、回転検出部１１４からの出力に基づいて、シャッタースピードの設定を切り替える。具体的には、タッチセンサー１３６によって接触が検出され、かつ、回転検出部１１４で回転が検出されると、検出された回転方向及び回転量に応じて、シャッタースピードの設定を切り替える。タッチセンサー１３６によって接触が検出されていることが必要条件となるので、接触が検出されていない場合は、回転が検出されても、設定を切り替えない。すなわち、操作を無効とし、現状の設定を維持する。
【００９２】
切り替えは１クリック単位で行われる。したがって、シャッタースピードダイヤル１１０がプラス方向Ｒ＋に１クリック分回転されると、シャッタースピードが１段繰り上げられ、マイナス方向Ｒ−に１クリック分回転されると、シャッタースピードが１段繰り下げられる。
【００９３】
図８は、本実施の形態のデジタルカメラで設定可能なシャッタースピード、及び、シャッタースピードの表示部への表記の一覧表である。
【００９４】
同図に示すように、本実施の形態のデジタルカメラ１では、シャッタースピードの設定として、オート、バルブ、タイム、１秒、１／２秒、１／４秒、１／８秒、１／１５秒、１／３０秒、１／６０秒、１／１２５秒、１／１８０秒、１／２５０秒、１／５００秒、１／１０００秒、１／２０００秒、または１／４０００秒のいずれかを選択して設定できる。
【００９５】
ここで、「オート」とは、適正露出となるシャッタースピードをカメラが自動的に決定するモードのことである。「バルブ」とは、シャッターボタン３０を押している間、シャッターを開き、離すと閉じるモードのことである。「タイム」とは、露光時間をユーザーが指定するモードであり、主として長時間露光に使用される。露光時間の指定は別途行われる。
【００９６】
シャッタースピードは、オート、バルブ、タイム、１秒、１／２秒、１／４秒、１／８秒、１／１５秒、１／３０秒、１／６０秒、１／１２５秒、１／１８０秒、１／２５０秒、１／５００秒、１／１０００秒、１／２０００秒、１／４０００秒の順で順番に切り替えられる。なお、１／４０００秒の次はオートになる。すなわち、上記の順番でループする。
【００９７】
設定可能なシャッタースピードのデータ、すなわち、図８に示す表のデータは、データメモリ６４に記憶される。設定切替部１１６は、設定可能なシャッタースピードのデータをデータメモリ６４から読み出し、回転検出部１１４で検出されるシャッタースピードダイヤル１１０の回転に応じてシャッタースピードの設定を切り替える。
【００９８】
設定切替部１１６は、システムコントローラー８０の一機能として提供される。すなわち、システムコントローラー８０が所定の制御プログラム（設定プログラム）を実行することにより、設定切替部１１６として機能する。
【００９９】
〈表示制御部〉
表示制御部１１８は、表示部１１０Ａの表示を制御する。表示制御部１１８は、所定の文字盤画像を表示部１１０Ａに表示する。表示制御部１１８は、シャッタースピードダイヤル１１０の操作に応じて、表示部１１０Ａの表示を変化させる。
【０１００】
表示制御部１１８は、システムコントローラー８０の一機能として提供される。すなわち、システムコントローラー８０が所定の制御プログラムを実行することにより、表示制御部１１８として機能する。表示制御部１１８は、図６に示すように、ディスプレー駆動部１４２を介してディスプレー１３０の駆動を制御し、シャッタースピードダイヤル１１０の表示部１１０Ａの表示を制御する。
【０１０１】
〔文字盤画像〕
図９は、シャッタースピードダイヤル１１０の表示部１１０Ａに表示される文字盤画像の一例を示す平面図である。
【０１０２】
図９に示すように、文字盤画像には、ロック解除ボタンのイメージ画像Ｌｂと、設定可能なシャッタースピードの値が含まれる。
【０１０３】
（１）ロック解除ボタン
ロック解除ボタンとは、シャッタースピードの切り替えのロックを解除するボタンである。ロック解除ボタンを押すと、ロックが解除され、離すとロックされる。すなわち、ロック解除ボタンを押している間だけロックが解除される。
【０１０４】
シャッタースピードの切り替えをロックすると、シャッタースピードの切り替えが不能になる。すなわち、切り替えがロックされている間は、シャッタースピードダイヤル１１０を回転操作しても、シャッタースピードの切り替えが不能になる。したがって、ロックボタンを押しながらシャッタースピードダイヤル１１０を回転操作した場合にだけシャッタースピードの切り替えが可能になる。
【０１０５】
ロック解除ボタンが押されたことの検出は、タッチセンサー１３６で行われる。すなわち、タッチセンサー１３６によってシャッタースピードダイヤル１１０の上面への接触を検出して、ロック解除ボタンが押されたことを検出する。
【０１０６】
図９に示すように、ロック解除ボタンのイメージ画像Ｌｂは、表示部１１０Ａの中央に表示される。すなわち、シャッタースピードダイヤル１１０の回転中心に表示される。ロック解除ボタンのイメージ画像Ｌｂは、実際のボタンを模した画像とされる。図９に示す例では、円形のボタンを模した画像をロック解除ボタンのイメージ画像Ｌｂとしている。
【０１０７】
（２）シャッタースピード
設定可能なシャッタースピードは、シャッタースピードダイヤル１１０の回転中心を中心として同一円周上に一定の間隔で表示される。この表示間隔は、クリックポジションの設定間隔と同じである。したがって、たとえば、クリックポジションの設定間隔が３６°の場合、３６°間隔で表示される。
【０１０８】
表示部１１０Ａに表示されるシャッタースピードは逆数で表示される。すなわち、図８に示すように、１秒、１／２秒、１／４秒、１／８秒、１／１５秒、１／３０秒、１／６０秒、１／１２５秒、１／１８０秒、１／２５０秒、１／５００秒、１／１０００秒、１／２０００秒、及び１／４０００秒は、それぞれ１、２、４、８、１５、６０、１２５、１８０、２５０、５００、１０００、２０００、及び４０００と表示される。なお、オート（Ａｕｔｏ）、バルブ（Ｂｕｌｂ）、タイム（Ｔｉｍｅ）の各モードについては、それぞれＡ、Ｂ、Ｔと頭文字で簡略化して表示される。
【０１０９】
シャッタースピードの表示の並びは、切り替わりの順番である。すなわち、Ａ、Ｂ、Ｔ、１、２、４、８、１５、３０、６０、１２５、１８０、２５０、５００、１０００、２０００、４０００の順で表示される。
【０１１０】
また、シャッタースピードを表示する方向は、時計回りの方向（マイナス方向Ｒ−）である。すなわち、時計回りの方向（マイナス方向Ｒ−）に添ってＡ、Ｂ、Ｔ、１、２、４、８、１５、３０、６０、１２５、１８０、２５０、５００、１０００、２０００、４０００の順で表示される。
【０１１１】
シャッタースピードを表示する位置は、現在選択されているシャッタースピードが現在設定表示位置Ｐｏに表示されるように設定される。現在設定表示位置Ｐｏは、指標１１２の位置に設定される。本実施の形態のデジタルカメラ１では、９時の位置に指標１１２が配置されているので、９時の位置に現在設定表示位置Ｐｏが設定される。
【０１１２】
なお、図９では、現在設定表示位置Ｐｏを破線で示しているが、破線は説明の便宜上に示したものであり、表示部１１０Ａに実際に表示されるものではない。
【０１１３】
図９に示す例では、現在選択されているシャッタースピードが１／１２５秒の場合を示している。この場合、図９に示すように、１／１２５秒を表わす「１２５」が現在設定表示位置Ｐｏに表示される。
【０１１４】
現在設定表示位置Ｐｏに表示されるシャッタースピードについては、他のシャッタースピードよりも相対的に大きく表示される。すなわち、現在選択されているシャッタースピードについては、他のシャッタースピードよりも相対的に大きな文字サイズで表示される。これにより、現在選択されているシャッタースピードの値を明確にできる。
【０１１５】
〔文字盤画像の表示制御〕
上記のように、表示制御部１１８は、シャッタースピードダイヤル１１０の操作に応じて、表示部１１０Ａの表示を動的に変化させる。表示制御部１１８は、タッチセンサー１３６及び回転検出部１１４からの出力に基づいて、表示部１１０Ａの表示を制御する。
【０１１６】
（１）ロックが解除された場合
ロック解除ボタンを押すと、ロックが解除される。ロック解除に連動して、ロック解除ボタンのイメージ画像Ｌｂの表示形態が切り替えられる。表示制御部１１８は、タッチセンサー１３６からの出力に基づいて、表示部１１０Ａの表示を制御し、ロック解除ボタンのイメージ画像Ｌｂの表示形態を切り替える。
【０１１７】
図１０は、ロックされた場合及びロックが解除された場合の文字盤画像の表示の遷移図である。同図（Ａ）は、ロックされた場合の文字盤画像の表示例を示しており、同図（Ｂ）は、ロックが解除された場合の文字盤画像の表示例を示している。
【０１１８】
本実施の形態のデジタルカメラ１では、ロック時とロック解除時とでロック解除ボタンのイメージ画像Ｌｂの表示色が切り替えられる。具体的には、表示色が反転される。
【０１１９】
図１０（Ａ）に示すように、ロックされると、ロック解除ボタンのイメージ画像Ｌｂは白色で表示される。すなわち、ロック解除ボタンの外形を示す枠線の内側が白色で表示される。
【０１２０】
一方、図１０（Ｂ）に示すように、ロックが解除されると、ロック解除ボタンのイメージ画像Ｌｂは、ロック解除ボタンの外形を示す枠線の内側が黒色で表示される。
【０１２１】
このように、ロック解除ボタンのイメージ画像Ｌｂは、ロックされた場合とロックが解除された場合と表示形態が切り替えられる。これにより、現在、ロックされているか否かを一目で把握できる。
【０１２２】
（２）シャッタースピードダイヤルが回転操作された場合
ロック解除ボタンを押しながらシャッタースピードダイヤル１１０を回転操作すると、シャッタースピードが切り替えられる。シャッタースピードの切り替わりに連動して文字盤画像も切り替えられる。
【０１２３】
文字盤画像は、シャッタースピードダイヤル１１０の回転に連動して回転するように表示が切り替えられる。すなわち、シャッタースピードダイヤル１１０を操作した方向に操作した分だけ回転するように表示が制御される。表示制御部１１８は、タッチセンサー１３６及び回転検出部１１４からの出力に基づいて、表示部１１０Ａの表示を制御し、文字盤画像の表示を制御する。
【０１２４】
図１１は、シャッタースピードダイヤルの回転操作に応じた文字盤画像の表示の遷移図である。
【０１２５】
同図（Ｂ）は、同図（Ａ）に示す状態からプラス方向Ｒ＋に５クリック分回転させた場合の表示部１１０Ａの表示状態を示している。また、同図（Ａ）は、同図（Ｂ）に示す状態からマイナス方向Ｒ−に５クリック分回転させた場合の表示部１１０Ａの表示状態を示している。
【０１２６】
いま、シャッタースピードが１／１２５秒に設定されていると仮定する。この場合、図１１（Ａ）に示すように、現在設定表示位置Ｐｏには１／１２５秒を表わす「１２５」が表示される。
【０１２７】
シャッタースピードが１／１２５秒に設定されている状態からロック解除ボタンを押しながらシャッタースピードダイヤル１１０をプラス方向Ｒ＋に５クリック分回転させると、シャッタースピードが５段繰り上がり、１／２０００秒に設定される（図８参照）。この結果、同図（Ｂ）に示すように、現在設定表示位置Ｐｏに１／２０００秒を表わす「２０００」が表示される。
【０１２８】
また、シャッタースピードが１／２０００秒に設定されている状態からロック解除ボタンを押しながらシャッタースピードダイヤル１１０をマイナス方向Ｒ−に５クリック分回転させると、シャッタースピードが５段繰り下がり、１／１２５秒に設定される（図８参照）。この結果、同図（Ａ）に示すように、現在設定表示位置Ｐｏに「１２５」が表示される。
【０１２９】
表示制御部１１８は、回転検出部１１４からの出力に基づいて、文字盤画像を回転させる。すなわち、シャッタースピードダイヤル１１０の回転方向及び回転量に基づいて、文字盤画像を回転させる。たとえば、シャッタースピードダイヤル１１０がプラス方向Ｒ＋に回転操作された場合は、文字盤画像をプラス方向Ｒ＋に回転させる。この際、シャッタースピードダイヤル１１０の回転軸を中心に文字盤画像を回転させる。なお、本実施の形態のデジタルカメラ１において、ロック解除ボタンのイメージ画像Ｌｂは円で表示され、かつ、表示部１１０Ａの中心に表示されるので、文字盤画像を回転させても、ロック解除ボタンのイメージ画像Ｌｂが変化することはない。したがって、文字盤画像を回転させた場合、シャッタースピードの表示のみが変化する。文字盤画像の回転は、シャッタースピードダイヤル１１０の回転に連動し、同じ方向に同じ量だけ回転する。これにより、従前のシャッタースピードダイヤル、すなわち、文字盤にシャッタースピードがプリントされたシャッタースピードダイヤルと同じ感覚で操作できる。
【０１３０】
《シャッタースピード設定装置の作用（シャッタースピードの設定方法）》
〈シャッタースピードの設定処理〉
図１２は、シャッタースピード設定装置によるシャッタースピードの設定処理の手順を示すフローチャートである。
【０１３１】
デジタルカメラ１の電源がオンされると、前回の設定が復元される（ステップＳ１０）。すなわち、電源オフ時に設定されていたシャッタースピードに設定される。設定切替部１１６は、前回の設定をデータメモリ６４から読み出して、シャッタースピードを電源オフ時に設定されていたシャッタースピードに設定する。
【０１３２】
シャッタースピードが設定されると、設定されたシャッタースピードに基づいて文字盤画像の画像データが生成され、表示部１１０Ａに表示される（ステップＳ１１）。たとえば、設定されたシャッタースピードが１／１２５秒の場合、図９に示すように、１／１２５秒を表わす「１２５」が現在設定表示位置Ｐｏに表示されるように文字盤画像の画像データが生成され、表示部１１０Ａに表示される。
【０１３３】
この後、シャッタースピードダイヤル１１０の操作の有無が判定される（ステップＳ１２）。シャッタースピードダイヤル１１０が回転操作されると、ロックが解除されているか否かが判定される（ステップＳ１３）。すなわち、ロック解除ボタンが押されているか否かが判定される。ロック解除ボタンが押されているか否かは、タッチセンサー１３６の出力に基づいて判定される。タッチセンサー１３６によってシャッタースピードダイヤル１１０の上面への接触が検出されている場合は、ロック解除ボタンが押されているものと判断し、ロックが解除されていると判定する。すなわち、シャッタースピードダイヤル１１０による設定の切り替えが有効であると判定する。一方、タッチセンサー１３６によってシャッタースピードダイヤル１１０の上面への接触が検出されていない場合は、ロック解除ボタンが押されていないものと判断し、ロックされていると判定する。すなわち、シャッタースピードダイヤル１１０による設定の切り替えが無効であると判定する。
【０１３４】
ロックが解除されている場合、すなわち、シャッタースピードダイヤル１１０による設定の切り替えが有効な場合、シャッタースピードダイヤル１１０の回転操作に応じてシャッタースピードが切り替えられる。この場合、操作された回転方向及び回転量（クリック数）に基づいて、シャッタースピードが切り替えられる（ステップＳ１４）。また、操作された回転方向及び回転量に基づいて、表示部１１０Ａの表示が切り替えられる（ステップＳ１５）。すなわち、操作された回転方向及び回転量に基づいて、文字盤画像が回転表示される。
【０１３５】
一方、ロックが解除されていない場合、すなわち、シャッタースピードダイヤル１１０による設定の切り替えが無効な場合、シャッタースピードの切り替えは行われない。この場合、ロック解除ボタンが押されずに回転操作された場合であるので、その操作は受け付けられず、現状の設定が維持される。また、表示部１１０Ａの表示も現状の表示が維持される。
【０１３６】
この後、電源がオフされたか否かが判定される（ステップＳ１６）。電源がオフされると、現在の設定をデータメモリ６４に格納して（ステップＳ１７）、処理を終了する。
【０１３７】
〈ロック／ロック解除の処理〉
図１３は、ロック／ロック解除の処理手順を示すフローチャートである。
【０１３８】
ロック解除ボタンが押されたか否かが判定される（ステップＳ２０）。すなわち、操作ダイヤルであるシャッタースピードダイヤル１１０の上面への指の接触の有無が判定される。ロック解除ボタンが押されたか否かは、タッチセンサー１３６の出力に基づいて判定される。タッチセンサー１３６によってシャッタースピードダイヤル１１０の上面への接触が検出された場合は、ロック解除ボタンが押されたと判定する。
【０１３９】
ロック解除ボタンが押されると、ロックが解除される（ステップＳ２１）。すなわち、操作ダイヤルであるシャッタースピードダイヤル１１０による設定の切り替えを有効にする。これにより、シャッタースピードダイヤル１１０によるシャッタースピードの切り替えが可能になる。
【０１４０】
ロックが解除されると、ロック解除ボタンのイメージ画像Ｌｂの表示形態が切り替えられる（ステップＳ２２）。すなわち、表示色が反転される。
【０１４１】
この後、ロック解除ボタンから指が離されたか否かが判定される（ステップＳ２３）。ロック解除ボタンから指が離されたか否かは、タッチセンサー１３６の出力に基づいて判定される。タッチセンサー１３６によってシャッタースピードダイヤル１１０の上面への接触が検出されなくなった場合は、ロック解除ボタンから指が離されたと判定する。
【０１４２】
ロック解除ボタンから指が離されると、シャッタースピードの切り替えがロックされる（ステップＳ２４）。これにより、シャッタースピードダイヤル１１０によるシャッタースピードの切り替えが不能になる。
【０１４３】
シャッタースピードの切り替えがロックされると、ロック解除ボタンのイメージ画像Ｌｂの表示形態が切り替えられる（ステップＳ２５）。すなわち、表示色が反転される。
【０１４４】
この後、電源がオフされたか否かが判定される（ステップＳ２６）。電源がオフされると、処理を終了する。
【０１４５】
このように、ロック解除ボタンを押すと、シャッタースピードの切り替えのロックが解除され、離すと、再びロックされる。すなわち、ロック解除ボタンを押している間だけロックが解除される。なお、シャッタースピードダイヤル１１０の上面への指の接触の有無を判定するとしたが、これに限らず、手のひらまたはタッチペン等の接触の有無を判定する構成としても良い。
【０１４６】
以上説明したように、本実施の形態のシャッタースピード設定装置１００によれば、ロック解除ボタンが押されている間だけシャッタースピードダイヤル１１０の回転操作を有効にできる。すなわち、ロック操作ボタンを押しながらシャッタースピードダイヤル１１０を回転操作した場合にだけシャッタースピードを切り替えることができる。これにより、誤動作を有効に防止できる。
【０１４７】
また、シャッタースピードダイヤル１１０の上面への接触の有無を判定して電子的にロックする構成のため、シャッタースピードダイヤル１１０の構造を簡素化できる。特に上面の表示部分の電子化と相俟って、全体として簡素で壊れにくい構造にできる。
【０１４８】
更に、表示部１１０Ａには、ロック解除ボタンのイメージ画像Ｌｂが表示されるため、直感的に操作でき、初めて使うユーザーであっても戸惑うことなく使用できる。
【０１４９】
《変形例》
〈その他の設定装置〉
上記実施の形態では、本発明をシャッタースピードの設定装置に適用した場合を例に説明したが、本発明の適用は、これに限定されるものではない。
【０１５０】
（１）感度の設定装置
図１４は、本発明を感度の設定装置に適用した場合の文字盤画像の表示例を示す平面図である。
【０１５１】
感度の設定装置に適用した場合、操作ダイヤルである感度ダイヤル１１０ａの表示部１１０Ａには、感度用の文字盤画像が表示される。感度用の文字盤画像には、ロック解除ボタンのイメージ画像Ｌｂと、設定項目である感度の値が表示される。
【０１５２】
図１４は、ＩＳＯ２００からＩＳＯ１２８００までの間で１／３段のステップ幅でＩＳＯ感度（ＩＳＯ：International Organization for Standardization／国際標準化機構）を設定する場合の文字盤画像の表示例を示している。この場合、ＩＳＯ感度として、ＩＳＯ２００、ＩＳＯ２５０、ＩＳＯ３２０、ＩＳＯ４００、ＩＳＯ５００、ＩＳＯ６４０、ＩＳＯ８００、ＩＳＯ１０００、ＩＳＯ１２５０、ＩＳＯ１６００、ＩＳＯ２０００、ＩＳＯ２５００、ＩＳＯ３２００、ＩＳＯ４０００、ＩＳＯ５０００、ＩＳＯ６４００、ＩＳＯ８０００、ＩＳＯ１００００、または、ＩＳＯ１２８００のいずれかを選択して設定できる。
【０１５３】
図１４に示すように、感度の設定装置に適用した場合も、文字盤画像の中央（＝ダイヤルの回転中心）にロック解除ボタンのイメージ画像Ｌｂが表示される。
【０１５４】
図１５は、ロックされた場合及びロックが解除された場合の文字盤画像の表示の遷移図である。同図（Ａ）は、ロックされた場合の文字盤画像の表示例を示しており、同図（Ｂ）は、ロックが解除された場合の文字盤画像の表示例を示している。
【０１５５】
本実施の形態のデジタルカメラ１では、ロックされた場合と、ロックが解除された場合とでロック解除ボタンのイメージ画像Ｌｂの表示色が反転される。
【０１５６】
図１５（Ａ）に示すように、ロックされると、ロック解除ボタンのイメージ画像Ｌｂは白色で表示される。すなわち、ロック解除ボタンの外形を示す枠線の内側が白色で表示される。
【０１５７】
一方、図１５（Ｂ）に示すように、ロックが解除されると、ロック解除ボタンのイメージ画像Ｌｂは、ロック解除ボタンの外形を示す枠線の内側が黒色で表示される。
【０１５８】
（２）露出補正値の設定装置
図１６は、本発明を露出補正値の設定装置に適用した場合の文字盤画像の表示例を示す平面図である。
【０１５９】
露出補正値の設定装置に適用した場合、操作ダイヤルである露出補正ダイヤル１１０ｂの表示部１１０Ａには、露出補正用の文字盤画像が表示される。露出補正用の文字盤画像には、ロック解除ボタンのイメージ画像Ｌｂと、設定項目である露出補正値が含まれる。
【０１６０】
図１６は、−３から＋３までの間で１／３段のステップ幅で露出補正値を設定する場合の文字盤画像の表示例を示している。この場合、露出補正値として、−３、−２・２／３、−２・１／３、−２、−１・２／３、−１・１／３、−１、−２／３、−１／３、０、＋１／３、＋２／３、＋１、＋１・１／３、＋１・２／３、＋２、＋２・１／３、＋２・２／３、または＋３のいずれかを選択して設定できる。なお、−３と−２との間、−２と−１との間、−１と０との間、０と＋１との間、＋１と＋２との間、＋２と＋３との間は、それぞれ設定可能な露出補正値をドットで表示している。
【０１６１】
図１６に示すように、露出補正値の設定装置に適用した場合も、文字盤画像の中央（＝ダイヤルの回転中心）にロック解除ボタンのイメージ画像Ｌｂが表示される。
【０１６２】
図１７は、ロックされた場合及びロックが解除された場合の文字盤画像の表示の遷移図である。同図（Ａ）は、ロックされた場合の文字盤画像の表示例を示しており、同図（Ｂ）は、ロックが解除された場合の文字盤画像の表示例を示している。
【０１６３】
本実施の形態のデジタルカメラ１では、ロックされた場合と、ロックが解除された場合とでロック解除ボタンのイメージ画像Ｌｂの表示色が反転される。
【０１６４】
図１７（Ａ）に示すように、ロックされると、ロック解除ボタンのイメージ画像Ｌｂは白色で表示される。すなわち、ロック解除ボタンの外形を示す枠線の内側が白色で表示される。
【０１６５】
一方、図１７（Ｂ）に示すように、ロックが解除されると、ロック解除ボタンのイメージ画像Ｌｂは、ロック解除ボタンの外形を示す枠線の内側が黒色で表示される。
【０１６６】
（３）撮影モードの設定装置
図１８は、本発明を撮影モードの設定装置に適用した場合の文字盤画像の表示例を示す平面図である。
【０１６７】
撮影モードの設定装置に適用した場合、操作ダイヤルであるモードダイヤル１１０ｃの表示部１１０Ａには、撮影モード選択用の文字盤画像が表示される。撮影モード選択用の文字盤画像には、ロック解除ボタンのイメージ画像Ｌｂと、選択項目である撮影モードの記号が含まれる。
【０１６８】
図１８は、選択可能な撮影モードとして、オート、プログラム、シャッタースピード優先、絞り優先、マニュアルが用意されている場合の文字盤画像の表示例を示している。
【０１６９】
ここで、オートとは、適正露出となるように、絞り値とシャッタースピードをカメラが自動的に決定するモードをいう。オートは、表示部１１０Ａに「ＡＵＴＯ」と表示される。
【０１７０】
また、プログラムとは、露出を一定にしたまま、撮影者が絞り値とシャッタースピードの組み合わせを変更できるモードをいう。いわゆるプログラムシフトが可能な撮影モードのことである。プログラムは、表示部１１０Ａに「Ｐ」と表示される。
【０１７１】
シャッタースピード優先とは、ユーザーが選択したシャッタースピードに対して適正露出となるような絞り値をカメラが自動的に決定するモードをいう。シャッタースピード優先は、表示部１１０Ａに「Ｓ」と表示される。
【０１７２】
絞り優先とは、ユーザーが選択した絞り値に対して適正露出となるようなシャッタースピードをカメラが自動的に決定するモードをいう。絞り優先は、表示部１１０Ａに「Ａ」と表示される。
【０１７３】
マニュアルとは、シャッタースピード、絞り値をユーザーが選択するモードをいう。マニュアルは、表示部１１０Ａに「Ｍ」と表示される。
【０１７４】
撮影モードは、モードダイヤル１１０ｃをプラス方向Ｒ＋に回転させると、１クリックごとにオート（ＡＵＴＯ）、プログラム（Ｐ）、シャッタースピード優先（Ｓ）、絞り優先（Ａ）、マニュアル（Ｍ）の順で切り替えられる。
【０１７５】
図１８に示すように、撮影モードの設定装置に適用した場合も、モードダイヤル１１０ｃの表示部１１０Ａには、中央部分にロック解除ボタンのイメージ画像Ｌｂが表示される。
【０１７６】
図１９は、ロックされた場合及びロックが解除された場合の文字盤画像の表示の遷移図である。同図（Ａ）は、ロックされた場合の文字盤画像の表示例を示しており、同図（Ｂ）は、ロックが解除された場合の文字盤画像の表示例を示している。
【０１７７】
本実施の形態のデジタルカメラ１では、ロックされた場合と、ロックが解除された場合とでロック解除ボタンのイメージ画像Ｌｂの表示色が反転される。
【０１７８】
図１９（Ａ）に示すように、ロックされると、ロック解除ボタンのイメージ画像Ｌｂは白色で表示される。すなわち、ロック解除ボタンの外形を示す枠線の内側が白色で表示される。
【０１７９】
一方、図１９（Ｂ）に示すように、ロックが解除されると、ロック解除ボタンのイメージ画像Ｌｂは、ロック解除ボタンの外形を示す枠線の内側が黒色で表示される。
【０１８０】
このように、本発明は回転式の操作ダイヤルを使用した各種設定装置に適用できる。この他、たとえば、回転式の操作ダイヤルを使用して音量（ボリューム）を設定する設定装置等に適用できる。
【０１８１】
なお、操作ダイヤルに割り当てる機能をユーザーが選択できる構成としてもよい。たとえば、シャッタースピードダイヤルとしての機能、感度ダイヤルとしての機能、露出補正ダイヤルとしての機能をユーザーが選択できる構成としてもよい。この場合、操作ダイヤルに割り当てる機能の選択は、メニュー画面等で行う。あるいは、専用の切り替えボタンを設けて、押すたびに割り当てられる機能が切り替えられるようにしてもよい。
【０１８２】
〈接触検出部の変形例〉
上記実施の形態では、接触検出部をタッチセンサーで構成しているが、接触検出部の構成は、これに限定されるものではない。
【０１８３】
また、上記実施の形態では、操作ダイヤルの上面の全域を接触の検出領域としているが、一部への接触を検出する構成とすることもできる。この場合、操作ダイヤルの回転中心への接触を検出する構成とすることが好ましい。すなわち、中心部分に触れながら操作した場合にのみ操作が有効になるので、誤動作を有効に防止できる。また、接触を検出する領域が、操作ダイヤルの中心部分なので、良好な操作性も確保できる。すなわち、他の位置は手さぐりで探すことはできないが、回転中心の位置は、手さぐりでも探し出せる。このため、暗い環境で操作する場合、ファインダーを覗きながら操作する場合等において、特に良好な操作性を確保できる。
【０１８４】
なお、操作ダイヤルの回転中心への接触を検出する構成とする場合、ロック解除ボタンのイメージ画像Ｌｂの表示部分への接触を検出する構成とすることが好ましい。すなわち、ロック解除ボタンのイメージ画像Ｌｂの表示部分と接触の検出領域とを一致させる。これにより、ロック解除ボタンのイメージ画像Ｌｂの部分をタッチすれば、確実にロック状態とロック解除状態を切り替えることができ、安定した操作を実現できる。また、暗い環境で操作する場合、ファインダーを覗きながら操作する場合等においても確実に操作できる。
【０１８５】
図２０は、接触検出部による接触の検出領域を限定する場合の概念図である。同図において、斜線で示す領域Ｓが接触検出部であるタッチセンサー１３６の検出領域である。
【０１８６】
図２０に示すように、ロック解除ボタンのイメージ画像Ｌｂの表示領域に対応した領域に、接触検出部であるタッチセンサー１３６の検出領域Ｓが設定されている。これにより、ロック解除ボタンのイメージ画像Ｌｂが表示されている領域のみを接触の検出領域とすることができる。
【０１８７】
このようにロック解除ボタンのイメージ画像Ｌｂが表示されている領域のみを接触の検出領域Ｓとすることにより、誤動作を適切に防止できる。すなわち、ロック解除ボタンのイメージ画像Ｌｂが表示されている領域のみが接触の検出領域Ｓとされるので、他の領域を誤って触れてもロック状態とロック解除状態とが切り替わることがなく、安定した動作を実現できる。また、接触検出部による接触の検出領域Ｓは、回転中心であるため、手さぐりでも探し出せる。これにより、暗い環境で操作する場合、ファインダーを覗きながら操作する場合等においても、良好な操作性を確保できる。
【０１８８】
〈接触の検出の変形例〉
接触の検出については、いわゆる不感帯を設けることが好ましい。すなわち、瞬間的な指の接触については、検出しない構成とすることが好ましい。同様に瞬間的に指が離された場合も検出しない構成とすることが好ましい。
【０１８９】
不感帯を設けるためには、たとえば、一定の時間間隔で接触を検出する構成にする。この場合、連続して接触が検出されたか否かを判定して、接触の有無を判定する。連続して接触が検出されている場合、接触していると判定する。瞬間的な接触の場合、連続して接触が検出されないので、検出を排除できる。また、瞬間的に指を離した場合も、次の検出までに指が触れていれば、接触が継続しているものと認定できる。
【０１９０】
このように、接触の持続時間も判断してヒステリシスを持たせて応答させることにより、より安定した動作が可能になる。
【０１９１】
〈ロックされた場合とロックが解除された場合の表示形態の他の例〉
上記実施の形態では、ロックされた場合とロックが解除された場合とでロック解除ボタンのイメージ画像Ｌｂの表示色を切り替える構成としているが、表示形態を切り替える方法は、これに限定されるものではない。この他、たとえば、文字盤画像の背景色を切り替える、文字盤画像の明るさを切り替える、ロックされている場合はロック解除ボタンのイメージ画像内に「ＬＯＣＫ」の文字を表示する、ロックが解除されている場合はロック解除ボタンのイメージ画像を点滅させる等、種々の形態を採用できる。
【０１９２】
〈ロック状態を告知する方法〉
設定の切り替えがロックされている場合、操作ダイヤルを回転操作しても、設定は切り替えられない。したがって、ロック状態で操作ダイヤルが回転操作された場合は、ロック状態であることをユーザーに告知することが好ましい。
【０１９３】
（１）音による告知
デジタルカメラ１にスピーカー等の音声出力部が備えられている場合、音声出力部を利用して、ロックされていることをユーザーに告知できる。たとえば、ロック状態で操作ダイヤルが回転操作されると、音声出力部から告知音、警告音等の音声が出力される構成とする。この場合、デジタルカメラ１には音声出力制御部が備えられる。音声出力制御部は、ロック状態で操作ダイヤルが回転操作されたことを検出すると、音声出力部から告知音、警告音等の音声を出力させる。
【０１９４】
また、デジタルカメラ１にスピーカー等の音声出力部が備えられている場合、操作ダイヤルの回転操作に連動して、擬似的な回転操作音を出力させてもよい。この場合、ロックされている場合とロックが解除されている場合とで回転操作音を切り替えてもよい。
【０１９５】
（２）モニターでの告知
上記実施の形態のデジタルカメラのようにモニターが備えられている場合、モニターを利用してロックされていることをユーザーに告知できる。
【０１９６】
図２１は、モニターを利用した告知例を示すデジタルカメラの背面図である。
【０１９７】
モニター１６には、ライブビュー画像と共に撮影モードＩ１、測光モードＩ２、シャッタースピードＩ３、絞り値（Ｆ値）Ｉ４、ＩＳＯ感度Ｉ５、撮影可能枚数Ｉ６、撮影サイズＩ７、画像品質Ｉ８等の各種撮影情報が表示される。ロック状態で操作ダイヤルであるシャッタースピードダイヤル１１０が回転操作された場合、モニター１６に警告用のアイコンＩ９を表示する。図２１に示す例では、警告用のアイコンＩ９として、[LOCK]の文字からなるアイコンを表示している。
【０１９８】
なお、ロックが解除されている場合は、アイコンＩ９の表示は消される。すなわち、ロックされている場合にのみ警告用のアイコンＩ９がモニター１６に表示される。
【０１９９】
このように、ロック状態で操作ダイヤルが回転操作された場合、そのことをモニター１６で告知することにより、操作性をより向上させることができる。
【０２００】
図２１に示す表示は一例である。この他、ロック状態でシャッタースピードダイヤル１１０が回転操作されると、シャッタースピードの表示が点滅する、ロック状態でシャッタースピードダイヤル１１０が回転操作されると、シャッタースピードの表示が警告用のアイコン、たとえば、[LOCK]の文字からなるアイコンに切り替わる等、種々の表示形態を採用できる。
【０２０１】
なお、カメラボディに電子ビューファインダーを備えている場合には、電子ビューファインダーにも同様の警告ないしは告知を表示することが好ましい。特に、電子ビューファインダーを使用した撮影では、操作ダイヤルの表示部の表示を確認できないので、ファインダー内に警告ないしは告知が表示されることにより、良好な操作性が得られる。
【０２０２】
〈選択項目の表示形態の変形例〉
上記実施の形態では、操作ダイヤルをシャッタースピードダイヤルとして使用する場合において、選択可能なシャッタースピードを表示部１１０Ａに全て表示する構成としているが、一部のみを表示する構成としてもよい。
【０２０３】
図２２は、選択可能な設定の一部のみを表示部に表示する場合の表示部の表示例を示す平面図である。
【０２０４】
同図に示す例では、現在選択されているシャッタースピードのみを表示部１１０Ａに表示する場合の例を示している。この場合、現在選択されているシャッタースピードが現在設定表示位置Ｐｏに表示される。
【０２０５】
図２３は、選択可能な設定の一部のみを表示部に表示する場合の表示部の他の表示例を示す平面図である。
【０２０６】
同図に示す例では、現在選択されているシャッタースピードと、その前後２つのシャッタースピードを表示部１１０Ａに表示する場合の例を示している。この場合、現在選択されているシャッタースピードが現在設定表示位置Ｐｏに表示され、シャッタースピードダイヤル１１０をプラス方向Ｒ＋に１クリック分回転させた場合に設定されるシャッタースピードと、シャッタースピードダイヤル１１０をプラス方向Ｒ＋に２クリック分回転させた場合に設定されるシャッタースピードとが、現在設定表示位置Ｐｏを基準にマイナスの回転方向Ｒ−に添って一定の間隔で表示される。また、シャッタースピードダイヤル１１０をマイナス方向Ｒ−に１クリック分回転させた場合に設定されるシャッタースピードと、シャッタースピードダイヤル１１０をマイナス方向Ｒ−に２クリック分回転させた場合に設定されるシャッタースピードとが、現在設定表示位置Ｐｏを基準にプラスの回転方向Ｒ＋に添って一定の間隔で表示される。
【０２０７】
なお、図２３に示す例は、シャッタースピード１／１２５秒が選択されている場合の例を示している。この場合、現在設定表示位置Ｐｏには、シャッタースピード１／１２５秒を示す「１２５」が表示される。
【０２０８】
シャッタースピード１／１２５秒が選択されている場合において、シャッタースピードダイヤル１１０をプラス方向Ｒ＋に１クリック分回転させると、シャッタースピードは１／１８０秒に設定される。また、シャッタースピードダイヤル１１０をプラス方向Ｒ＋に２クリック分回転させると、シャッタースピードは１／２５０秒に設定される。したがって、この場合、現在設定表示位置Ｐｏを基準にマイナス方向Ｒ−に添って「１８０」、「２５０」が一定の間隔で表示される。
【０２０９】
また、シャッタースピード１／１２５秒が選択されている場合において、シャッタースピードダイヤル１１０をマイナス方向Ｒ−に１クリック分回転させると、シャッタースピードは１／６０秒に設定される。また、シャッタースピードダイヤル１１０をマイナス方向Ｒ−に２クリック分回転させると、シャッタースピードは１／３０秒に設定される。したがって、この場合、現在設定表示位置Ｐｏを基準にプラス方向Ｒ＋に添って「６０」、「３０」が一定の間隔で表示される。
【０２１０】
このように、現在選択されているシャッタースピードと、その前後のシャッタースピードを表示することにより、次に設定可能なシャッタースピードを確認でき、操作性をより向上させることができる。
【０２１１】
このような表示形態は、表示部１１０Ａの表示面積が小さい場合に特に有効である。
【０２１２】
図２４は、選択可能な設定の一部のみを表示部に表示する場合の表示部の他の表示例を示す平面図である。
【０２１３】
同図に示す例では、現在選択されているシャッタースピード、及び、その前後２つのシャッタースピードに加えて、設定可能なシャッタースピードの最大値及び最小値を表示部１１０Ａに表示する場合の例を示している。
【０２１４】
設定可能な項目の最大値は、最大値表示位置Ｐｍａｘに表示し、最小値は、最小値表示位置Ｐｍｉｎに表示する。最大値表示位置Ｐｍａｘは、現在設定表示位置Ｐｏを基準にプラスの回転方向Ｒ＋の回転方向の上流側に設定され、最小値表示位置Ｐｍｉｎは、現在設定表示位置Ｐｏを基準にマイナスの回転方向Ｒ−の上流側に設定される。
【０２１５】
図２４に示す例では、設定可能なシャッタースピードの最大値が１／４０００秒、最小値が１秒の場合の例を示している。この場合、最大値表示位置Ｐｍａｘに「４０００」が表示され、最小値表示位置Ｐｍｉｎに「１」が表示される。また、図２４に示す例では、中間の間引いたシャッタースピードをドットで表示している。
【０２１６】
このように、設定可能な最大値及び最小値を表示することにより、設定可能な範囲を容易に把握でき、操作性をより向上させることができる。
【０２１７】
〈表示部の形態〉
上記実施の形態では、操作ダイヤルに備えられる表示部の形状が円形状とされているが、表示部の形状は、これに限定されるものではない。たとえば、矩形状、多角形状としてもよい。
【０２１８】
図２５は、矩形状の表示部を有するシャッタースピードダイヤルの平面図である。
【０２１９】
同図に示すシャッタースピードダイヤル１１０は、ディスプレー１３０が矩形状の表示面を有し、このディスプレー１３０の表示面が、シャッタースピードダイヤル１１０の表示部１１０Ａを構成している。
【０２２０】
なお、同図に示す例では、表示部１１０Ａに表示するシャッタースピードを一定の範囲に限定している。すなわち、現在選択されているシャッタースピードと、その前後のシャッタースピードのみを表示部１１０Ａに表示している。
【０２２１】
このように、表示部１１０Ａの形状は、必ずしも操作リング１３２の内周形状に合致した形状にする必要はなく、種々の形状を採用できる。
【０２２２】
〈表示部の他の例〉
上記実施の形態では、表示部を構成するディスプレーをＬＣＤで構成しているが、表示部を構成するディスプレーは、これに限定されるものではない。この他、たとえば、電子ペーパー、メモリ液晶ディスプレー、有機ＥＬディスプレー（EL:ElectroLuminescent）等の自発光式ディスプレー等でディスプレーを構成することもできる。
【０２２３】
電子ペーパーとは、紙と同レベルの薄さ、視認性を備えた薄型ディスプレーのことであり、表示内容を書き換えられるものをいう。メモリ液晶ディスプレーとは、電源をオフしても、画面に表示させた内容を維持できる機能を備えた液晶ディスプレーのことである。いずれも周囲が明るい環境でも良好な視認性を確保できる。また、カメラの電源をオフした場合であっても表示部の表示を確認できる。
【０２２４】
また、ディスプレーをＬＣＤで構成する場合、反射型ＬＣＤで構成することにより、明るい環境でも良好な視認性を確保できる。なお、ディスプレーを反射型ＬＣＤで構成する場合、照明を備えることが好ましい。
【０２２５】
〈その他の変形例〉
上記実施の形態では、回転検出部をロータリーエンコーダーで構成しているが、回転検出部の構成は、これに限定されるものではない。この他、回転ブラシ等を利用した公知の回転検出手段を採用することもできる。
【０２２６】
また、上記実施の形態では、クリック溝板金とクリックボールとでクリック機構を構成しているが、クリック機構の構成は、これに限定されるものではない。この他、板バネ等を利用した公知のクリック機構を採用することもできる。
【０２２７】
また、上記実施の形態では、本発明をデジタルカメラに適用した場合を例に説明したが、本発明の適用は、これに限定されるものではない。銀塩フイルムを使用したカメラにも同様に適用できる。この他、回転式の操作ダイヤルを組み込んだ電子機器にも適用できる。
【０２２８】
また、上記実施の形態では、レンズ交換式のカメラに本発明を適用した場合を例に説明したが、レンズ一体式のカメラにも同様に適用できる。
【０２２９】
更に、上記実施の形態では、ノンレフレックス型のカメラに本発明を適用した場合を例に説明したが、レフレックス型のカメラにも同様に適用できる。
【符号の説明】
【０２３０】
１  デジタルカメラ
２  レンズ
２ａ  レンズ駆動部
１０  カメラボディ
１４  レンズマウント
１６  モニター
２２  グリップ
２４  サムレスト
３０  シャッターボタン
３１  電源レバー
３２  再生ボタン
３３  撮影設定ボタン
３４  メニュー／ＯＫボタン
３５  セレクターボタン
３６  表示／ＢＡＣＫボタン
３７  削除ボタン
５０  イメージセンサー
５２  イメージセンサー駆動部
５４  シャッター
５６  シャッター駆動部
５８  アナログ信号処理部
６０  画像データ入力部
６２  ワークメモリ
６４  データメモリ
６６  デジタル信号処理部
６８  記録制御部
７０  モニター駆動部
７４  操作部
７８  メモリーカード
８０  システムコントローラー
１００  シャッタースピード設定装置
１１０  シャッタースピードダイヤル
１１０Ａ  表示部
１１０ａ  感度ダイヤル
１１０ｂ  露出補正ダイヤル
１１０ｃ  モードダイヤル
１１２  指標
１１４  回転検出部
１１６  設定切替部
１１８  表示制御部
１２６  シャッタースピードダイヤル支持フレーム
１２６Ａ  支持フレーム本体
１２６Ａ１  クリックボール収容穴
１２６Ｂ  ディスプレー支持フレーム
１２６Ｂ１  支柱部
１２６Ｂ２  ベース部
１３０  ディスプレー
１３２  操作リング
１３２Ａ  軸部
１３４  クリック機構
１３４Ａ  クリック溝板金
１３４Ｂ  クリックボール
１３４Ｃ  クリックバネ
１３４ａ  クリック溝
１３６  タッチセンサー
１４０  軸受
１４２  ディスプレー駆動部
Ｉ１  撮影モード
Ｉ２  測光モード
Ｉ３  シャッタースピード
Ｉ５  ＩＳＯ感度
Ｉ６  撮影可能枚数
Ｉ７  撮影サイズ
Ｉ８  画像品質
Ｉ９  警告用のアイコン
Ｌ  光軸
Ｌｂ  イメージ画像
Ｐｍａｘ  最大値表示位置
Ｐｍｉｎ  最小値表示位置
Ｐｏ  現在設定表示位置
Ｒ＋  プラスの回転方向
Ｒ−  マイナスの回転方向
Ｓ  タッチセンサーの検出領域
Ｓ１０〜Ｓ１７  シャッタースピードの設定処理
Ｓ２０〜Ｓ２６  ロック／ロック解除の処理
【図１】
0006490872.tif 000002
【図２】
0006490872.tif 000003
【図３】
0006490872.tif 000004
【図４】
0006490872.tif 000005
【図５】
0006490872.tif 000006
【図６】
0006490872.tif 000007
【図７】
0006490872.tif 000008
【図８】
0006490872.tif 000009
【図９】
0006490872.tif 000010
【図１０】
0006490872.tif 000011
【図１１】
0006490872.tif 000012
【図１２】
0006490872.tif 000013
【図１３】
0006490872.tif 000014
【図１４】
0006490872.tif 000015
【図１５】
0006490872.tif 000016
【図１６】
0006490872.tif 000017
【図１７】
0006490872.tif 000018
【図１８】
0006490872.tif 000019
【図１９】
0006490872.tif 000020
【図２０】
0006490872.tif 000021
【図２１】
0006490872.tif 000022
【図２２】
0006490872.tif 000023
【図２３】
0006490872.tif 000024
【図２４】
0006490872.tif 000025
【図２５】
0006490872.tif 000026